(57)【特許請求の範囲】
【請求項１】
原稿圧着板をその後部において開閉可能に支持するために装置本体上に取り付けられた一対の構成簡単な第１開閉装置と、前記装置本体の左右何れか一方の側部に取り付けられ、前記原稿圧着板の左右いずれか一方の側部に前記第１開閉装置より前方に位置して取り付けられるところの第２開閉装置とから成り、この第２開閉装置を、前記装置本体上へ取り付けられるところの底板とこの底板の両側部より立ち上げた両側板とを有する取付部材と、背板とこの背板の先端部側から折り曲げられた頂板部と、前記背板の両側部から下方へ垂下させて設けた両側板と、前記両側板の各下端側から内側へ折り曲げられた抱持部と、前記両側板から前記頂板部を超えて伸張させた一対の支持板部を有する支持部材と、この支持部材の両側板を前記取付部材の両側板ヘ回動可能に連結するヒンジシャフトと、前記取付部材の両側板の間に取り付けられた受圧部材と、前記支持部材内部に抱持部に抱えられて摺動可能に収装されると共に前記受圧部材と当接しているカムスライダーと、このカムスライダーと前記頂板部側との間に弾設されたコンプレッションスプリングとで構成すると共に、前記一対の支持板部の各先端部の間に支持部を設け、この支持部を前記原稿圧着板の下面側に取り付けたガイド部材にスライド可能に係合させたことを特徴とする、原稿圧着板開閉保持装置。
【請求項２】
原稿圧着板をその後部において開閉可能に支持するために装置本体上に取り付けられた一対の構成簡単な第１開閉装置と、前記装置本体の左右何れか一方の側部に取り付けられ、前記原稿圧着板の左右いずれか一方の側部に前記第１開閉装置より前方に位置して取り付けられるところの第２開閉装置とから成り、この第２開閉装置を、前記装置本体上へ取り付けられるところの底板とこの底板の両側部より立ち上げた両側板とを有する取付部材と、背板とこの背板の先端部側から折り曲げられた頂板部と、前記背板の両側部から下方へ垂下させて設けた両側板と、前記両側板の各下端側から内側へ折り曲げられた抱持部と、前記両側板から前記頂板部を超えて伸張させた一対の支持板部を有する支持部材と、この支持部材の両側板を前記取付部材の両側板ヘ回動可能に連結するヒンジシャフトと、前記取付部材の両側板の間に取り付けられた受圧部材と、前記支持部材の頂板部側に固定された当接プレートと、前記支持部材内部に抱持部に抱えられて摺動可能に収装されると共に前記受圧部材と当接しているカムスライダーと、このカムスライダーと前記当接プレートの間に配設されたショックアブソーバーと、このショックアブソーバーのフランジ部と前記カムスライダーの間に当該ショックアブソーバーの外側に位置して弾設されたコンプレッションスプリングとで構成すると共に、前記一対の支持板部の各先端部の間に支持部を設け、この支持部を前記原稿圧着板の下面側に取り付けたガイド部材にスライド可能に係合させたことを特徴とする、原稿圧着板開閉保持装置。
【請求項３】
前記第２開閉装置の支持部材の前記原稿圧着板に当接する前記支持部材の先端部の移動を前記原稿圧着板の開成角度によりガイド部材で規制するように構成したことを特徴とする、請求項１に記載の原稿圧着板開閉保持装置。
【請求項４】
前記支持部材の先端部には、原稿圧着板と接して転動するローラーを取り付けたことを特徴とする、請求項１に記載の原稿圧着板開閉保持装置。
【請求項５】
請求項１乃至４のいずれか１項に記載の原稿圧着板開閉保持装置を備えたことを特徴とする、事務機器。
【発明の詳細な説明】
【技術分野】
【０００１】
本発明は、複写機、印刷機、ファクシミリ、スキャナー等の事務機器に用いて好適な原稿圧着板開閉保持装置及びこれを備えた事務機器に関するものである。
【背景技術】
【０００２】
複写機、印刷機、ファクシミリ、スキャナー等の事務機器の装置本体には、その装置本体の上面に対して原稿圧着板が開閉装置を介して回動可能に取り付けられている。この原稿圧着板の開閉装置は、当該原稿圧着板の後部を回動可能に支持して、装置本体の上面のコンタクトガラス上を原稿圧着板で覆うことができると共に、原稿圧着板の前部を持ち上げることにより、そのコンタクトガラスを露出させることができるようになっている。原稿圧着板は、事務機器を使用しないときには、通常、装置本体の上面のコンタクトガラス上に密着して閉じられている。
【０００３】
近年の、複写機などの事務機器などにおいては、原稿圧着板には自動原稿送り装置（ＡＤＦ）が備えられた重量のあるものが多く用いられている。その場合、自動原稿送り装置を用いないで原稿をコンタクトガラス上にセットするには、原稿圧着板を開いてコンタクトガラスを露出（開放）させる必要があり、露出させたコンタクトガラスの面上に原稿を載置した後、原稿圧着板を閉じて、当該原稿圧着板で原稿をコンタクトガラス上に圧着させるものである。
【０００４】
これらの原稿圧着板は、従来、例えば下記特許文献１に示されているように、その後部を装置本体に対して一対の原稿圧着板開閉装置により回動可能に取り付けると共に、当該原稿圧着板開閉装置に内蔵された強力なコイルスプリングから成る弾性手段によって原稿圧着板を開成方向へ付勢するようになっており、開いた原稿圧着板は、スプリングの弾力によって開成状態で保持される構成となっている。したがって、装置本体の修理時やメンテナンス時において原稿圧着板を開成状態で保持できることから、修理作業やメンテナンス作業が行い易くなっている。
【０００５】
然しながら、安価な事務機器においては、下記特許文献１に示したような構成の原稿圧着板開閉装置ではなく、もっと簡単な構成の原稿圧着板開閉装置が用いられており、かかる構成簡単で安価な原稿圧着板開閉装置は、原稿圧着板を全開させた状態での修理作業やメンテナンス作業時に、当該原稿圧着板を開成状態で保持させることができないことから、装置本体の修理作業やメンテナンス作業がしにくいといった問題があった。
【先行技術文献】
【特許文献】
【０００６】
【特許文献１】特開２００１−２３８０１４号公報
【発明の概要】
【発明が解決しようとする課題】
【０００７】
本発明は、上記の如き問題点を解決することを課題とするものであり、簡単な構成の開閉装置を用いても、原稿圧着板を開成状態で保持できる、原稿圧着板開閉保持装置及びこれを備えた事務機器を提供せんとするものである。
【課題を解決するための手段】
【０００８】
上記課題を達成するため、本発明に係る事務機器の原稿圧着板開閉保持装置は、原稿圧着板をその後部において開閉可能に支持するために装置本体上に取り付けられた一対の構成簡単な第１開閉装置と、前記装置本体の左右何れか一方の側部に取り付けられ、前記原稿圧着板の左右いずれか一方の側部に前記第１開閉装置より前方に位置して取り付けられるところの第２開閉装置とから成り、この第２開閉装置を、前記装置本体上へ取り付けられるところの底板とこの底板の両側部より立ち上げた両側板とを有する取付部材と、背板とこの背板の先端部側から折り曲げられた頂板部と、前記背板の両側部から下方へ垂下させて設けた両側板と、前記両側板の各下端側から内側へ折り曲げられた抱持部と、前記両側板から前記頂板部を超えて伸張させた一対の支持板部を有する支持部材と、この支持部材の両側板を前記取付部材の両側板ヘ回動可能に連結するヒンジシャフトと、前記取付部材の両側板の間に取り付けられた受圧部材と、前記支持部材内部に抱持部に抱えられて摺動可能に収装されると共に前記受圧部材と当接しているカムスライダーと、このカムスライダーと前記頂板部側との間に弾設されたコンプレッションスプリングとで構成すると共に、前記一対の支持板部の各先端部の間に支持部を設け、この支持部を前記原稿圧着板の下面側に取り付けたガイド部材にスライド可能に係合させたことを特徴とする。
【０００９】
本発明はまた、原稿圧着板をその後部において開閉可能に支持するために装置本体上に取り付けられた一対の構成簡単な第１開閉装置と、前記装置本体の左右何れか一方の側部に取り付けられ、前記原稿圧着板の左右いずれか一方の側部に前記第１開閉装置より前方に位置して取り付けられるところの第２開閉装置とから成り、この第２開閉装置を、前記装置本体上へ取り付けられるところの底板とこの底板の両側部より立ち上げた両側板とを有する取付部材と、背板とこの背板の先端部側から折り曲げられた頂板部と、前記背板の両側部から下方へ垂下させて設けた両側板と、前記両側板の各下端側から内側へ折り曲げられた抱持部と、前記両側板から前記頂板部を超えて伸張させた一対の支持板部を有する支持部材と、この支持部材の両側板を前記取付部材の両側板ヘ回動可能に連結するヒンジシャフトと、前記取付部材の両側板の間に取り付けられた受圧部材と、前記支持部材の頂板部側に固定された当接プレートと、前記支持部材内部に抱持部に抱えられて摺動可能に収装されると共に前記受圧部材と当接しているカムスライダーと、このカムスライダーと前記当接プレートの間に配設されたショックアブソーバーと、このショックアブソーバーのフランジ部と前記カムスライダーの間に当該ショックアブソーバーの外側に位置して弾設されたコンプレッションスプリングとで構成すると共に、前記一対の支持板部の各先端部の間に支持部を設け、この支持部を前記原稿圧着板の下面側に取り付けたガイド部材にスライド可能に係合させたことを特徴とする。
【００１０】
さらに、本発明は、前記第２開閉装置の支持部材の前記原稿圧着板に当接する前記支持部材の先端部の移動を前記原稿圧着板の開成角度によりガイド部材で規制するように構成することができる。
【００１１】
さらに、本発明において、前記支持部材の先端部には、原稿圧着板と接して転動するローラーを取り付けることができる。
そして、本発明は、事務機器に上記原稿圧着板開閉保持装置を備えさせたことを特徴とする。
【００１２】
なお、本発明において開成方向とは、原稿圧着板の後部に設けた前記第１開閉装置の回動軸を中心に原稿圧着板を回動させる際に、原稿圧着板が原稿が置かれるコンタクトガラスから離間する方向をいい、また閉成方向とは、原稿圧着板がコンタクトガラスに近づく方向をいう。
【発明の効果】
【００１３】
本発明に係る原稿圧着板開閉保持装置は、原稿圧着板をその後部において装置本体に対して開閉可能に支持する構成簡単な第１開閉装置と、原稿圧着板の左右いずれか一方又は双方の側部に前記第１開閉装置より前方に位置して設けたところの第２開閉装置とから成り、この第２開閉装置を、前記装置本体上へ取り付けられるところの底板と両側板を有する取付部材と、背板と両側板を有し前記取付部材の前記両側板に自己の前記両側板をヒンジシャフトを介して回動可能に取り付けられた支持部材と、この支持部材と前記取付部材との間に前記支持部材内部に収容させて弾設したコンプレッションスプリングと、で構成し、前記支持部材の先端部を前記原稿圧着板の下側に当接或は係合させたので、第１開閉装置の構成を簡単にしても、第２開閉装置で原稿圧着板を開成状態で保持できる上に、この第２開閉装置の原稿圧着板に対する支点が、原稿圧着板の前方向へ移動することになるので、原稿圧着板の第２開閉装置に加わる荷重が小さくなることから、材質の薄い金属性の板部材を用いることができ、さらに、コンプレッションスプリングから成る弾性手段に弾力の強いものを用いる必要がなくなるので、全体として、原稿圧着板開閉保持装置を小型且つ安価に製造できるものである。
【００１４】
また、第２開閉装置を、装置本体の修理時やメンテナンス時に開いた原稿圧着板を安定的に保持できるようにだけに用いることができるので、第１開閉装置の構成を簡単なものにしても、原稿圧着板の開成時における安定保持を図ることができる。
【図面の簡単な説明】
【００１５】
【図１】本発明に係る原稿圧着板開閉保持装置を備えた事務機器の一実施例を示す斜視図である。
【図２】本発明に係る原稿圧着板開閉保持装置の一実施例の閉成状態を示す側面図である。
【図３】本発明に係る原稿圧着板開閉保持装置の一実施例の開成状態を示す側面図である。
【図４】本発明に係る原稿圧着板開閉保持装置に用いられる第２開閉装置の一例を示す斜視図である。
【図５】本発明に係る第２開閉装置の閉成状態における側断面図である。
【図６】本発明に係る第２開閉装置の開成状態における側断面図である。
【図７】本発明に係る第２開閉装置の支持部材を示し、（ａ）はその正面図、（ｂ）はその底面図、（ｃ）は（ｂ）のＡ−Ａ線の部分で割った部分的拡大断面図である。
【図８】本発明に係る第２開閉装置の当接プレートの斜視図である。
【図９】本発明に係る第２開閉装置のカムスライダーを示し、（ａ）はその平面図、（ｂ）はその正面図、（ｃ）は（ａ）のＢ−Ｂ線拡大断面図である。
【発明を実施するための形態】
【００１６】
以下、本発明に係る原稿圧着板開閉保持装置の一実施例、及びこれを備えた事務機器を添付図面に基づいて説明する。
【００１７】
以下の説明では、本発明に係る原稿圧着板開閉保持装置を備えた事務機器として複写機を例に挙げて説明するが、本発明に係る原稿圧着板開閉保持装置を取り付け可能な事務機器としては、複写機に限らず、前記の如く、印刷機、ファクシミリ、スキャナー、その他の事務機器が広く含まれるものである。
【００１８】
本発明に係る原稿圧着板開閉保持装置Ａは、図１〜図３に示したように、複写機等の事務機器１の装置本体１１に対して原稿圧着板１２をその後部において開閉可能に保持する第１開閉装置２と、原稿圧着板１２の左右いずれか一方又は双方の側辺部の前後方向の中間位置を、開閉可能に支持する第２開閉装置３と、を備えている。図１に示した実施例においては、原稿圧着板１２の左側の側辺部の中間位置が第２開閉装置３によって保持されているが、同様の構成の第２開閉装置、或は他の図示してない構成の第３開閉装置によって右側の側辺部も保持するようにしてもよい。また、原稿圧着板１２は、図示のものは原稿自動送り装置１２ａ付のものを示してあるが、原稿自動送り装置付でないものも当然に含まれる。
【００１９】
各第２開閉装置３には、後述する如く、コンプレッションスプリング３０７のような弾性手段が内蔵され、原稿圧着板１２の閉成時にこの弾性手段に蓄えられた応力が原稿圧着板１２を開成方向へ付勢するよう作用することによって、原稿圧着板１２の開成操作時に軽い力で持ち上げることができるようになっている。
【００２０】
このような本発明に係る原稿圧着板開閉保持装置Ａの特徴とするところは、前記の如く、原稿圧着板１２の後部を第１開閉装置２により回動自在に保持すると共に、原稿圧着板１２の左右の側辺部の少なくとも一方の前後方向の中間位置を、原稿圧着板１２を開成方向へ付勢する第２開閉装置３によって支持するように構成したことにある。
【００２１】
本発明における第１開閉装置２は、従来の如く原稿圧着板の後部を回動可能に保持すると同時に原稿圧着板を開成方向に付勢するスプリング等による付勢機構を備えたものである必要はなく、単に原稿圧着板の後部を回動可能に保持する機能を有するもので足りる。図１〜図３に示した実施例のものは、装置本体１１側に固定される第１ブラケット２１と、原稿圧着板１２側に固定される第２ブラケット２２とがヒンジピン２３によって互いに回動可能に連結された構造のものである。
【００２２】
但し、第１開閉装置２の構成はこれに限定されるものではなく、原稿圧着板１２を開成方向へ押し上げる付勢力の主体となる第２開閉装置３を補助する程度の付勢力を発揮するトーションスプリングやコンプレッションスプリングのような弾性手段を備えた図示してない第１開閉装置を用いるようにし、この第１開閉装置と第２開閉装置３の両方の付勢力で原稿圧着板１２を開成方向に回動させるように構成してもよい。
【００２３】
また、本などの厚手の原稿に対応するよう原稿圧着時に原稿圧着板の後部が持ち上がるように構成した各種公知のリフト機構を有する第２開閉装置を第１開閉装置２として用いることも可能である。その場合であっても、本発明においては、原稿圧着板１２を開成方向へ持ち上げる力は、第２開閉装置３のコンプレッションスプリングのような弾性手段による付勢力を主体とし、原稿圧着板１２の後部の第１開閉装置２による付勢はあくまで補助的なものとするものである。
【００２４】
一方、原稿圧着板１２の左右いずれかの側辺部の中間位置を開成状態で保持する第２開閉装置３は、原稿圧着板１２を開成方向に付勢するコンプレッションスプリングやトーションスプリング等の弾性手段による付勢機構を備えていることが必要であり、その付勢力により、原稿圧着板１２の開閉操作を容易とするものである。ただ、そのような機能を備えたものであれば、この第２開閉装置３の形態は図示した実施例のものに何ら限定されず、弾性手段による付勢機構も任意である。
【００２５】
尚、上記第２開閉装置３による原稿圧着板１２の支持位置は、原稿圧着板１２の重量によって第２開閉装置３に加わる回転モーメントを低減させる観点からすれば、なるべく原稿圧着板１２の重心に近い位置とすることが望ましいが、そうすることにより第２開閉装置３の長さが過大となる場合には、両者の関連を考慮した上で最良な位置を選定するようにする。
【００２６】
また、本発明における第２開閉装置３の装置本体１１に対する取付け位置においては、第２開閉装置３を装置本体１１の側面に取り付けたり、装置本体１１の上面や側面に設けた取付凹部１１ａ内に取り付けたりして、原稿圧着板１２の開閉操作の障害とならないように構成する。
【００２７】
本発明において原稿圧着板１２の側辺部の前後方向の中間位置を支持する第２開閉装置３としては、原稿圧着板１２を事務機器１の装置本体１１に対して開閉可能に支持すると共に、原稿圧着板１２の開成操作時に原稿圧着板を押し上げるよう付勢する弾性手段を備えたものであれば、各種構成のものを広く採用し得る。図４〜図６にその具体的な一実施例が示されているので、以下、これらの図を参照しつつ説明する。
【００２８】
図示した第２開閉装置３の取付部材３０１は、例えばＳＵＳのような金属プレート製の部材であり、前記事務機器１の装置本体１１上に取り付けられる。この取付部材３０１の底板３０１ｂの両側から立ち上げた両側板３０１ａ、３０１ａにヒンジシャフト３０３を介して、同じくＳＵＳのような金属プレート製の支持部材３０２の背板３０２ｂより下方へ折り曲げた両側板３０２ａ、３０２ａが回動可能に軸支されている。尚、ヒンジシャフト３０３を軸受けする取付部材３０１の図示してない軸受孔には、これも図示してないが、軸受部材が取り付けられることが好ましい。
【００２９】
取付部材３０１の両側板３０１ａ、３０１ａにはさらに、ヒンジシャフト３０３を取り付けた位置とは異なる位置に固定シャフト３０４が取り付けられ、この固定シャフト３０４とヒンジシャフト３０３とが挿通された形で、受圧部材３０５が取付部材３０１の両側板３０１ａ、３０１ａの間に固定されるようになっている。尚、この受圧部材３０５は固定シャフト３０４のみとしても良いし、回転するローラーとしても良い。
【００３０】
支持部材３０２は、前記両側板３０２ａ、３０２ａの他に、上記したように背板３０２ｂと、頂板部３０２ｃと、抱持部３０２ｄ、３０２ｄと、前記両側板３０２ａ、３０２ａから前記頂板部３０２ｃを超えて伸張させた支持板部３０２ｉ、３０２ｉとを有している。支持板部３０２ｉ、３０２ｉの先端部側には、当該支持板部３０２ｉ、３０２ｉの間に軸架させた支持ピン３１２ａと、この支持ピン３１２ａを貫通させて回転自在に設けたローラー３１２ｂから成る支持部３１２が設けられ、この支持部３１２を原稿圧着板１２の下面側に接して取り付けたガイド部材３１３とスライド可能に係合させている。さらに支持部材３０２内部にカムスライダー３０６を摺動可能に収容し、当該カムスライダー３０６のカム面３０６ａは前記受圧部材３０５の受圧面３０５ａと当接している。
【００３１】
カムスライダー３０６と、ショックアブソーバー３１０のフランジ部３１０ａとの間には、当該ショックアブソーバー３１０を内部に収容させてコンプレッションスプリング３０７が弾設され、カムスライダー３０６を受圧部材３０５側へ圧接させると共に、カムスライダー３０６を介して支持部材３０２を原稿圧着板１２の開成方向へ付勢させ、或は所定の閉成角度からは開成方向へ付勢させるように構成されている。
【００３２】
ショックアブソーバー（流体ダンパー）３１０は、例えば公知構成のピストン式の粘性流体を用いた公知構成のものであり、そのフランジ部３１０ａは、支持部材３０２の頂板部３０２ｃに取り付けられた当接プレート３０８に当接している。当接プレート３０８の外面下方は、ストッパーピン３０９に当接せしめられ、弾性手段であるコンプレッションスプリング３０７の弾力を安定的に受ける構成である。
【００３３】
即ち、当接プレート３０８は、とくに図８に示したように、下部側を断面Ｌ字形状に折り曲げたもので、上部側に一対の係止孔３０８ａ、３０８ａと、取付孔３０８ｂが設けられ、さらに中央部に大径の挿通孔３０８ｃが設けられており、支持部材３０２の頂板部３０２ｃに設けた一対のボス部３０２ｅ、３０２ｅと係止孔３０８ａ、３０８ａを係合させた上で、取付孔３０８ｂへ挿通させたリベット３１１で頂板部３０２ｃの取付孔３０２ｇへ取り付けられると共に、当接プレート３０８の下部側はストッパーピン３０９に当接している。とくに図５と図６に示したように、支持部材３０２内のカムスライダー３０６と当接プレート３０８との間に収装されたショックアブソーバー３１０は、そのピストン杆３１０ｂの先端をカムスライダー３０６の内部に設けたボス部３０６ｂに当接させると共に、そのシリンダー部３１０ｃの端部のフランジ部３１０ａに設けたボス部３１０ｄを当接プレート３０８の挿通孔３０８ｃへ嵌入させている。尚、指示記号３０２ｈは係止孔であり、この係止孔３０２ｈは、第２開閉装置３の組立時に図示してないピンを差し込んで、カムスライダー３０６の突出を防止して、ヒンジシャフト３０３による支持部材３０２と取付部材３０１の各両側板３０２ａ、３０２ａと両側板３０１ａ、３０１ａの連結作業を容易にするためのものである。また、図９において、カムスライダー３０６の図面に指示記号３０６ｄで示した長い凹状のものはオイル溜めである。
【００３４】
さらに、本発明に係る第２開閉装置３は、とくに図７と図９に示したように、支持部材３０２の背板３０２ｂの下面に一対の凸状部３０２ｆ、３０２ｆを設けると共に、カムスライダー３０６の上面側に凸状部３０２ｆ、３０２ｆと嵌合する凹状部３０６ｃ、３０６ｃが設けられており、支持部材３０２のヒンジシャフト３０３を支点とする回動時、しかして原稿圧着板１２のとくに閉成直前にフリクション動作をすることによりブレーキ機能を営むように構成されている。
【００３５】
次に、本発明に係る原稿圧着板開閉保持装置Ａの作用について説明する。今、図５に示したように、原稿圧着板１２を閉じた状態においては、当該原稿圧着板１２の重量はコンプレッションスプリング３０７が原稿圧着板１２を押し上げようとする弾力よりも勝っているため、原稿圧着板１２は自己の重量で安定した閉成状態を保っている。そして、ショックアブソーバー３１０のピストン杆３１０ｂは、カムスライダー３０６のボス部３０６ｂと当接した状態にある。尚、コンプレッションスプリング３０７の作用線を受圧部材３０５の受圧面３０５ａの軸芯よりも下方へ移動させたり、或はカムスライダー３０６のカム面３０６ａの形状を変えることにより、原稿圧着板１２の開成方向へ付勢させておくことも可能である。
【００３６】
図５に示した状態から原稿圧着板１２を開いて行くと、支持部材３０２はヒンジシャフト３０３を中心に回動し、コンプレッションスプリング３０７の作用線は、受圧部材３０５の受圧面３０５ａの軸芯より下方へ移動し、受圧部材３０５の受圧面３０５ａがカムスライダー３０６のカム面３０６ａと当接する箇所も、カム面３０６ａの高い方から低い方へ移動することから、コンプレッションスプリング３０７の弾力により支持部材３０２は原稿圧着板１２の開成方向へ付勢され、原稿圧着板１２はその本来の重量を減殺された状態で開かれる。
【００３７】
この時、原稿圧着板１２から第２開閉装置３に掛かる回転モーメントは、「第２開閉装置３による原稿圧着板１２の支持部３１２から原稿圧着板１２の重心までの距離×原稿圧着板１２の重量」となり、これは、従来の如く原稿圧着板の後部を第２開閉装置で軸支した場合に当該第２開閉装置に掛かる原稿圧着板の回転モーメントに比べて格段に少ない値となるものである。原稿圧着板１２を開いて行くと、ショックアブソーバー３１０のピストン杆３１０ｂの先端はカムスライダー３０６のボス部３０６ｂから離脱する。
【００３８】
原稿圧着板１２を開いて行く過程で、第２開閉装置３による原稿圧着板１２の支持部３１２は原稿圧着板１２の側辺部の下面に沿ってスライドするが（図５、６参照）、図示した実施例のように、板金や樹脂製のガイド部材３１３を原稿圧着板１２の側辺部の下面に取り付けておくことにより、開角度規制が可能となると共に、とくに開成操作時などに第２開閉装置３の支持部３１２が原稿圧着板１２から外れたり離れたりしないようにして円滑な開閉操作をすることが可能となる。但し、このガイド部材３１３を設けることは必ずしも必須ではない。
【００３９】
図示した実施例においては、第２開閉装置３の起立角度は約８０°となるように構成されている。
【００４０】
尚、第２開閉装置３の前記支持部３１２を、支持ピン３１２ａと、その外周に回転可能なように装着したローラー３１２ｂとで構成し、このローラー３１２ｂが原稿圧着板の下面と接して転動することにより、原稿圧着板１２の一層円滑な開閉動作が確保されるようにすることも推奨される。
【００４１】
原稿圧着板１２を閉じる際には、所定の閉成角度に近づくと、ショックアブソーバー３１０のピストン杆３１０ｂの先端がカムスライダー３０６の内頂部に当接し始め、ダンパーが効き始めることにより、支持部材３０２の回転を制御し、原稿圧着板１２が急激に閉じられるのを防止するものである。
【００４２】
尚、上記第２開閉装置３の構成は、前記の如く、原稿圧着板１２を事務機器１の装置本体１１に対して開閉可能に支持すると共に、原稿圧着板１２の開成操作時に当該原稿圧着板１２を押し上げるよう付勢する弾性手段を備えたものであれば、各種構成のものを広く採用し得るものである。
【００４３】
また、本発明に係る事務機器（例えば、複写機、印刷機、ファクシミリ、スキャナー、その他の事務機器を含む。）１は、本発明に係る上記の如き原稿圧着板開閉保持装置Ａを備えてなるものであり、本発明に係る原稿圧着板開閉保持装置Ａの前記の如き利点を生かした事務機器となるものである。
【００４４】
さらにまた、前記の如く構成される本発明に係る原稿圧着板開閉保持装置Ａは、事務機器１等のメンテナンス時に、装置本体１１と原稿圧着板１２との間にアタッチメントとして一時的に取り付けて、原稿圧着板１２を開閉可能に保持する開閉装置として好適に使用することができる。その場合においても、前記第２開閉装置３が小型で低価格のもので済むので、好都合である。
【００４５】
以上は、第１開閉装置２と第２開閉装置３を共動させて原稿圧着板１２を開閉させる場合について説明したが、第２開閉装置３を装置本体１１の修理時やメンテナンス時に使用する場合について説明する。この場合には、ガイド部材３１３を廃し、支持部材３０２の支持部３１２は原稿圧着板１２に対しフリーな状態にした上で、原稿圧着板１２を閉じた状態において、図示してない係止ピン或は係止部材を用いて支持部材３０２を取付部材３０１に係止させるか、支持部材３０２を装置本体１１へ係止させておき、使用時に係止ピン或は係止部材による支持部材３０２に対する係止を解いて当該支持部材３０２の先端側のローラー３１２ｂで原稿圧着板１２の下面と接するようにして、開いた原稿圧着板１２を開成状態で自然落下しないように保持するものである。
【産業上の利用可能性】
【００４６】
上述の如き構成を有する本発明は、第１開閉装置の構成を簡単なものにしても、第２開閉装置によって、原稿圧着板を開成状態で安定的に保持できることから、原稿圧着板を開いた状態での事務機器の装置本体の修理作業やメンテナンス作業を支障なく行うことができることから、比較的小型で安価な機種の事務機器の原稿圧着板開閉保持装置として好適に用いられるものである。
【符号の説明】
【００４７】
Ａ        原稿圧着板開閉保持装置
１        事務機器
１１      装置本体
１２      原稿圧着板
１２ａ    原稿自動送り装置
２        第１開閉装置
３        第２開閉装置
３０１    取付部材
３０１ａ  側板
３０１ｂ  底板
３０２    支持部材
３０２ａ  側板
３０２ｂ  背板
３０２ｃ  頂板部
３０２ｄ  抱持部
３０３    ヒンジシャフト
３０５    受圧部材
３０６    カムスライダー
３０７    コンプレッションスプリング
３０８    当接プレート
３１０    ショックアブソーバー
３１０ａ  フランジ部
３１２ｂ  ローラー
３１３    ガイド部材
【図１】
0005995043.tif 000002
【図２】
0005995043.tif 000003
【図３】
0005995043.tif 000004
【図４】
0005995043.tif 000005
【図５】
0005995043.tif 000006
【図６】
0005995043.tif 000007
【図７】
0005995043.tif 000008
【図８】
0005995043.tif 000009
【図９】
0005995043.tif 000010